(57)【要約】      （修正有）【課題】簡単な構造でプッシュプル操作に対する動作を可能にすることのできるプッシュプルハンドル装置を提供する。【解決手段】扉１からの突出姿勢で扉枠に係止し、開扉操作に伴って係止状態を解除するラッチと、ロック位置側に付勢されてロック、アンロック位置間を移動自在で、ロック位置においてラッチの没入位置側への移動を規制するロックレバーと、扉１の室内外壁面に配置され、揺動操作可能な室内外ハンドル５、６とを有し、前記ロックレバーには扉１の板厚方向中央部に配置され、ロックレバーの動作に伴ってハンドル５、６の揺動面と扉１表面との交差線方向に移動する作動部７が設けられるとともに、前記室内外ハンドル５、６には、該室内外ハンドル５、６の操作に伴う前記交差線方向の変位が同一方向にほぼ等しくなるカム面８を備えたカム部９を形成し、該カム面８を作動部７に摺接させてロックレバーを作動させる。【選択図】図４
2011184892.tif 000002
【特許請求の範囲】
【請求項１】
扉からの突出姿勢で扉枠に係止し、開扉操作に伴って扉に没入して扉枠との係止状態を解除するラッチと、
ロック位置側に付勢されてロック、アンロック位置間を移動自在で、ロック位置においてラッチの没入位置側への移動を規制するロックレバーと、
扉の室内外壁面に配置され、中立位置から一方が引出し方向、他方が押込み方向への係止解除操作方向を有して揺動操作可能な室内外ハンドルとを有し、
前記ロックレバーには扉に配置され、ロックレバーの動作に伴ってハンドルの揺動面と扉表面との交差線方向に移動する作動部が設けられるとともに、
前記室内外ハンドルには、該室内外ハンドルの操作に伴う前記交差線方向の変位が同一方向にほぼ等しくなるカム面を備えたカム部を形成し、
該カム面を作動部に摺接させてロックレバーを作動させるプッシュプルハンドル装置。
【請求項２】
前記室内外ハンドルは、共通ハンドル部に室内外ハンドルで異なるカム部を連結、固定して形成される請求項１記載のプッシュプルハンドル装置。
【請求項３】
前記ロックレバーは、前記ラッチを規制する規制片を一端に、他端に前記作動部を備えるとともに、中心部においてロック、アンロック位置間で揺動自在に軸支される請求項１または２記載のプッシュプルハンドル装置。
【請求項４】
前記ラッチは、扉枠との当接面が開扉軌跡に直交する係止姿勢と、開扉軌跡に対して斜行し、開扉操作による没入方向の分力が発生する没入可能姿勢との間を回転自在に形成され、
前記ロックレバーは、ロック位置において没入可能姿勢への回転移動を規制する請求項１、２または３記載のプッシュプルハンドル装置。
【請求項５】
対になる他のハンドルの扉の装着面に対して反対面に揺動操作自在に装着され、前記他のハンドルとともにプッシュプルハンドル装置を構成するプッシュプルハンドル装置用ハンドルであって、
裏面に突出されるカム部とを有し、
前記カム部には、揺動操作時における揺動軌跡の扉表面に平行な方向の変位成分に対して反対方向の変位を扉表面から適宜間隔離隔した平面との交差点に発生させるカム面が形成されるプッシュプルハンドル装置用ハンドル。
【発明の詳細な説明】
【技術分野】
【０００１】
本発明は、プッシュプルハンドル装置に関するものである。
【背景技術】
【０００２】
扉の室内側壁面にハンドルを配置し、ハンドルへの操作によりラッチの扉枠との係止を解除するプッシュプルハンドル装置としては、特許文献１に記載のものが知られている。
【０００３】
この従来例において、ハンドル装置はハンドルへの操作により揺動するリンクによりスライダをスライドさせ、当該スライドの動作をロッキングピース（ロックレバー）をロック、アンロック位置間で駆動させるように構成される。
【０００４】
一対のハンドルのうち一方を押込み方向操作した場合と、他方のハンドルを引出し方向に操作した場合では、リンクの回転方向が逆になるために、スライダは、双方のハンドルの変位に対応して一対設けられており、さらに、ロックレバーも各スライダに対応して一対設けられる。一対のロックレバーは、連結片を介して相互に連動可能に形成されており、いずれか一方のハンドルを操作すると、リンクが対応方向に揺動して対応する一方のスライダが動作し、対応するロックレバー、および連結片を介して連動動作する他方のロックレバーを作動させ、ラッチへの係止を解除してアンロック状態に移行させる。
【先行技術文献】
【特許文献】
【０００５】
【特許文献１】特開２００４-１３７８４１号公報
【発明の概要】
【発明が解決しようとする課題】
【０００６】
しかし、上述した従来例において、ハンドルの操作は一旦リンクの揺動動作に変換された後、ロックレバーに伝達されるために、構造が複雑になるという問題がある。すなわち、同一のリンクを室内背向位置に配置すると、リンクの回転方向は相互に逆回転となるために、リンクの出力端の移動方向も逆になり、結果、操作されるハンドルによる動作方向の違いを同期させるための特別な構造が必須となる。
【０００７】
本発明は、以上の欠点を解消すべくなされたものであって、簡単な構造でプッシュプル操作に対する動作を可能にすることのできるプッシュプルハンドル装置の提供を目的とする。また、本発明の他の目的は、上記プッシュプルハンドル装置に使用可能なハンドルの提供にある。
【課題を解決するための手段】
【０００８】
プッシュプルハンドル装置は、扉１からの突出姿勢で扉枠２に係止し、開扉操作に伴って扉１に没入して扉枠２との係止状態を解除するラッチ３と、ロック位置側に付勢されてロック、アンロック位置間を移動自在で、ロック位置においてラッチ３の没入位置側への移動を規制するロックレバー４と、扉１の室内外壁面に配置され、中立位置から一方が引出し方向、他方が押込み方向への係止解除操作方向を有して揺動操作可能な室内外ハンドル５、６とを有して構成される。
【０００９】
ロックレバー４には扉１の板厚方向中央部に配置され、ロックレバー４の動作に伴ってハンドル５、６の揺動面と扉１表面との交差線方向（ハンドル５、６が垂直回転操作される場合には上下方向、ハンドル５、６が水平回転操作される場合には横方向）に移動する作動部７が設けられており、各ハンドル５、６には裏面に向けてカム部９が作動部７の移動面に交差するように突設される。
【００１０】
対称位置関係で配置される室内外ハンドル５、６から突設されるカム部９は、扉１表面近傍に垂直回転操作されるハンドル５、６の揺動中心が位置している場合、引出し操作される側のハンドル６に付属のものはハンドル６の操作により上方への変位成分を有するのに対し、押込み操作される側のハンドル５に付属のものは、下方への変位成分を有する。
【００１１】
カム面８は、カム部９の上下縁（ロックレバー４を押上げ方向に操作する場合には上縁、下方に操作する場合には下縁）を膨隆させ、あるいは凹ませることによって、いずれのハンドル５、６を初期位置から係止解除操作方向に揺動させた場合であっても、作動部７の移動面上での変位方向を一致させ、かつ、変位量もほぼ一致させる。
【００１２】
したがって、本発明において、室内外いずれのハンドル５、６が係止解除操作されても、カム部９のカム面８は摺接したロックレバー４に同一方向の駆動力を付与する。この結果、ロックレバー４の作動部７への入力方向が一致するために、変位方向の調整等を全く要することなく、双方のハンドル５、６からの操作力を直接ロック、アンロック動作力として使用することが可能になり、構造が簡単になる。
【００１３】
上記ハンドル５、６は、ロック位置に対応する中立位置から一方が引出し方向、他方が押込み方向に係止解除操作方向をもてば足りるが、一方のハンドル５、６を中立位置から引出し、押込み双方に操作して係止解除操作を行うものを排除するものではない。この場合、カム部９は、図８に示すように、中立位置を挟んで先端部、および基端部に各々カム面８を備えて形成され、中立位置において、カム部９は２個のカム面８の境界部を初期設定面１２としてロックレバー４の作動部７に対応させて配置される。
【００１４】
また、このようなカム部９を使用すると、引出し、押込み側のいずれのハンドル５、６も同一のものを使用することが可能になる。
【発明の効果】
【００１５】
本発明によれば、簡単な構造でプッシュプル操作に対する動作を可能にするができる。
【図面の簡単な説明】
【００１６】
【図１】本発明を示す図で、（ａ）は扉を回転先端側端面から見た図、（ｂ）は（ａ）の１Ｂ方向矢視図である。
【図２】ラッチ装置を示す図で、（ａ）はラッチケース内部を示す図、（ｂ）は（ａ）の２Ｂ-２Ｂ線断面図、（ｃ）はロック状態を示す図である。
【図３】ラッチ装置の動作を示す図で、（ａ）は閉扉状態を示す図、（ｂ）はラッチが反転した状態を示す図、（ｃ）はラッチが没入した状態を示す図である。
【図４】図１（ｂ）の４Ａ-４Ａ線断面図である。
【図５】室外ハンドルを示す図で、（ａ）は裏面図、（ｂ）は側面図、（ｃ）は（ｂ）の要部拡大図、（ｄ）は（ａ）の要部拡大図である。
【図６】カム部の動作を示す図で、（ａ）は初期状態を示す図、（ｂ）はハンドルを操作した状態を示す図、（ｃ）はカム面の作用を示す図である。
【図７】室内ハンドルを示す図で、（ａ）は初期状態を示す図、（ｂ）はハンドルを操作した状態を示す図、（ｃ）はカム面の作用を示す図である。
【図８】本発明の他の実施の形態を示す図である。
【発明を実施するための形態】
【００１７】
図１に示すように、プッシュプルハンドル装置は、扉１の室内外壁面に配置される上下に長い室内外ハンドル５、６、室内ハンドル５の上下端部に配置される室内用上下部エスカッション１３、１４、室外ハンドル６の上下端部に配置される室外用上下部エスカッション１５、１６とを有する。
【００１８】
扉１にはラッチ装置１７と錠装置１８とが組み込まれており、室内外用下部エスカッション１４、１６に装着されるサムターン装置１９、およびシリンダ錠装置２０を操作することによって錠装置１８のデッドボルト１８ａを扉１の回転先端端面から突出、没入させて施解錠操作が行われる。
【００１９】
また、ラッチ装置１７は閉扉状態を保持するために装着され、この実施の形態においては、所謂反転ラッチ装置が使用される。図２に示すように、反転ラッチ装置１７は、ラッチホルダ１７ａ内に収容されて扉１の回転先端側端面から突出、没入自在なラッチ３と、後述するラッチ３の反転動作を規制するためのロックレバー４とをラッチケース１７ｂ内に収容して形成される。
【００２０】
ラッチ３は、図３に示すように、前端部にラッチ３の移動方向に平行な係止面３ａと、係止面３ａに鋭角で交差するガイド面３ｂを備えた上下面が水平面からなる三角柱形状を有しており、圧縮スプリング１７ｃにより突出方向に付勢される（図２参照）。圧縮スプリング１７ｃの付勢力はスライダ１７ｄを介してラッチ３に付与されており、図３（ａ）に示す初期姿勢において、ラッチ３から上下方向に突出するカム突起３ｃがラッチホルダ１７ａに形成されるカム受け凹部１７ｅに嵌合する。
【００２１】
また、ラッチ３にはストッパブロック３ｄが背面方向に突設されており、該ストッパブロック３ｄが上記ロックレバー４により拘束されることによってラッチ３の移動方向が突出、没入方向のみに制限されている。
【００２２】
ラッチ３は初期状態において、ロックレバー４による拘束を受けた状態で扉１の開放方向（図３におけるＡ方向）に係止面３ａを向けた係止姿勢で扉枠２側のストライク開口２ａに係止されており、この状態で扉１に開放方向の操作力を与えても、ラッチ３には回転方向の力のみが発生し、没入方向の分力が発生しないために、閉扉状態が保持される。
【００２３】
この後、ロックレバー４によるストッパブロック３ｄの拘束を解除して扉１に開扉操作力を付与すると、ラッチ３の係止面３ａはストライク開口２ａから力を受け、ラッチ３は、図２（ｂ）に示すように、ガイド面３ｂがラッチホルダ１７ａの内壁面に当接するまで時計回りに回転（反転）して没入可能姿勢に移行する。この状態からさらに開扉操作を続けると、開扉方向線に対して斜めとなった係止面３ａはストライク開口２ａの周縁からラッチ３没入方向の分力を受け、ラッチ３は圧縮スプリング１７ｃの反力に抗して扉１内に没入してストライク開口２ａから脱離する（図３（ｃ）参照）。
【００２４】
この後、扉１が扉枠２から完全に離れると、圧縮スプリング１７ｃの復元力によりラッチ３は前方に押し出され、カム突起３ｃはカム受け凹部１７ｅに当接する。図３（ｃ）に示す姿勢で、ラッチ３とスライダ１７ｄとの接触部は、カム受け凹部１７ｅとカム突起３ｃとの接触部に対して開扉方向に偏位しているために、ラッチ３には反時計回りに回転力が作用し、ラッチ３は、自動的に係止姿勢に復帰する。
【００２５】
また、開扉状態でラッチ３が係止姿勢にあるとき、ガイド面３ｂが扉枠２に正対しているために、この状態から閉扉操作を行うと、ラッチ３はガイド面３ｂからの没入分力により一旦没入した後、ストライク開口２ａに係止する。
【００２６】
上記ラッチ３の反転動作を規制するためのロックレバー４は、金属板材を折り曲げて形成され、ラッチケース１７ｂ内に連結される。図２に示すように、ロックレバー４は、一端に規制片１１を、他端に作動部７を備えており、規制片１１がラッチ３のストッパブロック３ｄに向けて進退するように、中間部が揺動中心４ａ周りに揺動自在に軸支される。このロックレバー４は、規制片１１がストッパブロック３ｄ側に向けて移動したロック位置側に向けて図外のスプリングにより付勢される。
【００２７】
規制片１１は上記ラッチ３のストッパブロック３ｄに上下方向から挟み付けることが可能なように、開放部をストッパブロック３ｄに正対させた断面コ字形状に形成され、作動部７は、下面を接触面とするように上方に開放した断面コ字形状断面に形成され、扉１に固定された状態で、図４に示すように、扉１の板厚方向中心部に配置される。
【００２８】
したがってこの実施の形態において、ロックレバー４が図２（ａ）に示すアンロック位置にあるとき、規制片１１とラッチ３のストッパブロック３ｄとは非係合状態であり、ラッチ３の回転が規制されておらず、上述したように、開扉操作が許容される。この状態からロックレバー４が図２（ｃ）に示すロック位置に移動すると、規制片１１がラッチ３のストッパブロック３ｄに嵌合してラッチ３の回転を規制することからラッチ３の没入が不可能となり、開扉操作が禁止される。
【００２９】
図４に室内外ハンドル５、６の装着状態を示す。この実施の形態において、初期位置において、図４において左側に示される室外ハンドル６はほぼ扉１面に平行姿勢を取り、右側に示す室内ハンドル５は上方に行くに従って徐々に扉１面から離隔する傾斜姿勢を取る。室内外ハンドル５、６の操作は、下端部を中心として反時計回りに回転させることにより行われ、室外ハンドル６は揺動中心に対する反対端を引き出す方向に、室内ハンドル５は、揺動中心に対する反対端を押し込む方向に回転させて行われる
また、この実施の形態において、室内外ハンドル５、６は、室内外で共通な共通ハンドル部１０に異なったカム部９を連結して形成される。共通ハンドル部１０は、ハンドル５、６の外形を提供する表カバー１０ａに裏面カバー１０ｂをビス１０ｃにより連結して形成され、上記裏面カバー１０ｂには、下端部から突出するヒンジ脚部１０ｄと、上端部から裏面方向に突出する連結部１０ｅとが形成される。
【００３０】
図５（ｂ）に示すように、ヒンジ脚部１０ｄには、ヒンジ用凹部１０ｆが凹設されており、室内外ハンドル５、６は、室内外用下部エスカッション１４、１６に形成されるヒンジ用突部２１に嵌合させることにより上述した揺動中心が形成される。
【００３１】
また、連結部１０ｅは、図５（ｄ）に示すように、矩形断面形状を有し、終端部近傍に、室内ハンドル５の初期位置を決定するための位置決めストッパ突部１０ｇが突設される（図４参照）。連結部１０ｅの側壁部には、バネ受け突部１０ｈが突設されており、室内外用上部エスカッション１３、１５に装着されるトーションスプリング２２の一端が係止されて、ハンドル５、６を初期位置側に付勢する。
【００３２】
カム部９は、金属板材により形成され、上記連結部１０ｅの側壁、正確にはバネ受け突部１０ｈが突設される壁面に対する背向面にビス２３を使用して固定される（図５（ｃ）参照）。図２、６に示すように、カム部９は先端部がラッチケース１７ｂに開設されたスリット２４からラッチケース１７ｂ内に挿入される長さを有して形成されており、ラッチケース１７ｂへの挿入部の上端面には初期設定面１２が形成される。初期設定面１２は、ハンドル５、６が初期位置にあり、かつ、ロックレバー４がロック位置におるときの作動部７の接触面を支承することができる位置に設けられている。
【００３３】
また、室外ハンドル６に使用されるカム部９には、初期設定面１２から先端方にカム面８が延設される。カム面８は、図６（ｂ）に示すように、室外ハンドル６を引出し操作した際（操作角θ）に作動部７を上方に所定量、正確には、ロックレバー４が、図２（ｃ）に示すロック位置から図２（ａ）に示すアンロック位置まで揺動するに十分な作動部７の変位が得られるように、突起状に膨隆されて形成される。
【００３４】
図６（ｃ）はカム面８の作用を示すもので、δ0はハンドル６の傾斜に伴う引き上げ量、δはカム面８を設けた場合の初期位置からの引き上げ量を示す。
【００３５】
これに対し、室内ハンドル５に使用されるカム部９は、図７に示すように、先端部に形成される初期設定面１２から基端側にカム面８を隣接配置して形成される。図７（ｃ）に示すように、カム面８は初期設定面１２だけが設けられた場合には、室内ハンドル５の操作によりδ0だけ下方に変位するのに対し、カム面８の形成によって、ロックレバー４の作動部７はδだけ上方に引き上げられる。
【００３６】
したがってこの実施の形態において、室内外いずれのハンドル５、６を操作しても、ロックレバー４の作動部７は上方にほぼ等しい量引き上げられて、図２（ａ）に示すアンロック状態に遷移する。
【符号の説明】
【００３７】
１        扉
２        扉枠
３        ラッチ
４        ロックレバー
５        室内ハンドル
６        室外ハンドル
７        作動部
８        カム面
９        カム部
１０      共通ハンドル部
１１      規制片
【図１】
2011184892.tif 000003
【図２】
2011184892.tif 000004
【図３】
2011184892.tif 000005
【図４】
2011184892.tif 000006
【図５】
2011184892.tif 000007
【図６】
2011184892.tif 000008
【図７】
2011184892.tif 000009
【図８】
2011184892.tif 000010